(57)【要約】【課題】厚さの異なる扉に対応することができ、扉への取付時に作業者が手で保持する必要がなく、扉の厚さによらず同等の固定強度で扉の両側の台座同士をワンタッチで固定することができるラッチ錠のハンドルの台座ユニットを提供することである。【解決手段】ラッチ錠２のラッチ２ａを操作するハンドル３ａ、３ｂを扉に固定する台座４ａ、４ｂであって、各台座４ａ、４ｂは、それぞれ本体５ａ、５ｂを有し、各本体５ａ、５ｂは、ガイド体６及び／又は保持部７を有し、ガイド体６は、基端側から先端側に至る長さを有しており、ガイド体６の先端側には係合部８が設けてあり、係合部８は、相手側の台座４ｂの本体５ｂに設けられた保持部７と係合し、本体５ａは、当該本体５ａに設けたガイド体６に沿って相対移動が可能であり、ガイド体６が設けられた本体５ａを、相手側の台座４ｂに接近する方向に付勢する付勢手段９を設けた。【選択図】図１
2020133335.tif 000002
【特許請求の範囲】
【請求項１】
ラッチ錠を備えた扉の一方側及び他方側にそれぞれ配置され、前記ラッチ錠のラッチを操作するハンドルを扉に固定する一対の台座で構成されたラッチ錠のハンドルの台座ユニットであって、
前記各台座は、それぞれ本体を有し、
前記各本体は、ガイド体及び／又は保持部を有し、
前記ガイド体は、基端側から先端側に至る長さを有しており、
ガイド体の先端側には係合部が設けてあり、
係合部よりも外形が小さいくびれ部が、前記ガイド体における係合部の基端側に隣接して設けられており、
前記保持部は、相手側の台座の係合部を受け入れる受け入れ部と、当該係合部を収容する収容部を有し、
前記受け入れ部は、保持部の基端側から先端側へいくほど内周側から外周側へ傾斜する傾斜面又はテーパ面を有し、
前記係合部は受け入れ部より大きく、
前記保持部は弾性を有していて受け入れ部を拡大可能であり、
ガイド体を有する本体は、当該本体に設けたガイド体に沿った移動が可能であり、
ガイド体が設けられた本体を、相手側の台座に接近する方向に付勢する付勢手段を設けたことを特徴とするラッチ錠のハンドルの台座ユニット。
【請求項２】
前記ガイド体の基端側に、ガイド体の長手方向と交差する方向に張り出す張出部が設けてあり、
前記ガイド体を有する本体には挿通部が設けてあり、ガイド体は前記挿通部を挿通しており、
前記ガイド体の張出部と、ガイド体が設けられた本体の間に、前記付勢手段が配置されていることを特徴とする請求項１に記載のラッチ錠のハンドルの台座ユニット。
【発明の詳細な説明】
【技術分野】
【０００１】
本発明は、ラッチ錠のラッチを操作するハンドルを、扉に固定するための台座ユニットに関するものである。
【背景技術】
【０００２】
ラッチ錠を備えた扉では、ラッチ錠のラッチを操作するハンドルが、扉に台座を介して取り付けられている。このような台座が例えば特許文献１に開示されている。
特許文献１には、ドアの両側に配置したハンドル取付座同士をワンタッチで固定できるドアハンドル取付座が開示されている。すなわち、一方のハンドル取付座には、圧入孔を有するパイプシャフトが設けられており、他方のハンドル取付座には、圧入シャフトが設けられている。そして、パイプシャフトの圧入孔に圧入シャフトを圧入することによって、両ハンドル取付座を固定するように、特許文献１に開示されたドアハンドル取付座は構成されている。
特許文献１のドアハンドル取付座では、パイプシャフトの圧入孔に対する圧入シャフトの抜き差し量を加減することで、様々なドアの厚さに対応することができるとされている。
【先行技術文献】
【特許文献】
【０００３】
【特許文献１】特開平７−３２４５２９号公報
【発明の概要】
【発明が解決しようとする課題】
【０００４】
ところで、特許文献１に開示されたドアハンドル取付座では、パイプシャフトの圧入孔に対する圧入シャフトの抜き差し量を加減することでドアの厚さに対応している。しかし、特許文献１のようなドアハンドル取付座をドアに取り付ける際に、ドアの取り付け位置に作業者が手で保持していなければならない。
また、抜き差し量が相違すると、パイプシャフト（一方側の取付座）と圧入シャフト（他方側の取付座）の接触長さが相違するため、パイプシャフトと圧入シャフトの固定強度が相違し、両シャフトに対する離間方向の外力に抗する耐力が扉の厚さによってばらつき、品質を一定に保つことができないという不満がある。
【０００５】
そこで本発明は、厚さの異なる扉に対応することができ、扉への取付時に作業者が手で保持する必要がなく、扉の厚さによらず同等の固定強度で扉の両側の台座同士をワンタッチで固定することができるラッチ錠のハンドルの台座ユニットを提供することを課題としている。
【課題を解決するための手段】
【０００６】
上記課題を解決するための請求項１に記載の発明は、ラッチ錠を備えた扉の一方側及び他方側にそれぞれ配置され、前記ラッチ錠のラッチを操作するハンドルを扉に固定する一対の台座で構成されたラッチ錠のハンドルの台座ユニットであって、前記各台座は、それぞれ本体を有し、前記各本体は、ガイド体及び／又は保持部を有し、前記ガイド体は、基端側から先端側に至る長さを有しており、ガイド体の先端側には係合部が設けてあり、係合部よりも外形が小さいくびれ部が、前記ガイド体における係合部の基端側に隣接して設けられており、前記保持部は、相手側の台座の係合部を受け入れる受け入れ部と、当該係合部を収容する収容部を有し、前記受け入れ部は、保持部の基端側から先端側へいくほど内周側から外周側へ傾斜する傾斜面又はテーパ面を有し、前記係合部は受け入れ部より大きく、前記保持部は弾性を有していて受け入れ部を拡大可能であり、ガイド体を有する本体は、当該本体に設けたガイド体に沿った移動が可能であり、ガイド体が設けられた本体を、相手側の台座に接近する方向に付勢する付勢手段を設けたことを特徴とするラッチ錠のハンドルの台座ユニットである。
【０００７】
請求項１に記載の発明のラッチ錠のハンドルの台座ユニットは、ラッチ錠を備えた扉の一方側及び他方側にそれぞれ配置され、ラッチ錠のラッチを操作するハンドルを扉に固定する一対の台座からなる。
各台座はそれぞれ本体を有し、また、各本体は、ガイド体及び／又は保持部を有し、ガイド体は、基端側から先端側に至る長さを有しており、ガイド体の先端側には係合部が設けてあり、係合部よりも外形が小さいくびれ部が、ガイド体における係合部の基端側に隣接して設けられている。保持部は、相手側の台座の係合部を受け入れる受け入れ部と、当該係合部を収容する収容部を有し、受け入れ部は、保持部の基端側から先端側へいくほど内周側から外周側へ傾斜する傾斜面又はテーパ面を有し、係合部は受け入れ部より大きく、保持部は弾性を有していて受け入れ部を拡大可能である。よって、受け入れ部が拡大することにより、受け入れ部よりも大きい係合部を受け入れることができる。
具体的には、保持部に係合部を押し付けると、係合部が傾斜面又はテーパ面に当接する。そして、さらに係合部を保持部側に移動させると、傾斜面又はテーパ面が外側（外周側）へ押圧される。すなわち、受け入れ部が拡大される。よって、係合部を保持部側へ移動させるだけで受け入れ部が拡大し、係合部を受け入れることができる。すなわち、ワンタッチで両台座を固定することができる。
また係合部が受け入れ部を通過して収容部に収容されると、係合部に隣接したくびれ部が受け入れ部の位置に配置される。すなわち、受け入れ部の位置に係合部よりも小さい外形のくびれ部が配置され、受け入れ部は保持部の弾性によって縮小し、くびれ部に当接する。このときの受け入れ部は係合部よりも小さい。そのため、係合部が保持部から離反することが阻止される。
また、ガイド体を有する本体は、当該本体に設けたガイド体に沿った移動が可能であるので、対向する台座の本体同士の間隔が変化する。その結果、各台座の本体を、異なる厚さの扉の両側に配置して、両者を結合することができる。
さらに、ガイド体が設けられた本体を、相手側の台座に接近する方向に付勢する付勢手段を設けたので、両台座の本体同士は接近する方向に付勢されている。すなわち、両台座を扉に取り付ける際に、作業者は両台座を扉の取り付け位置に保持する必要がない。そのため、付勢手段は、仮止め機能を発揮することができ、作業者は両台座を扉に良好に取り付けることができる。そして、両台座は、良好に扉に装着された状態を維持することができる。付勢手段として、圧縮バネを採用するのが好ましい。
【０００８】
請求項２に記載の発明は、前記ガイド体の基端側に、ガイド体の長手方向と交差する方向に張り出す張出部が設けてあり、前記ガイド体を有する本体には挿通部が設けてあり、ガイド体は前記挿通部を挿通しており、前記ガイド体の張出部と、ガイド体が設けられた本体の間に、前記付勢手段が配置されていることを特徴とする請求項１に記載のラッチ錠のハンドルの台座ユニットである。
【０００９】
請求項２に記載の発明では、ガイド体の基端側に、ガイド体の長手方向と交差する方向に張り出す張出部が設けてあり、ガイド体を有する本体には挿通部が設けてあり、ガイド体は前記挿通部を挿通しており、ガイド体の張出部と、ガイド体が設けられた本体の間に、付勢手段が配置されているので、保持部と係合部が係合した状態で、両台座の本体同士は、付勢手段によって互いに接近する方向に付勢される。すなわち、両台座の本体は、扉に接近する方向に付勢される。よって、両台座は、良好に扉に取り付けられる。
【発明の効果】
【００１０】
本発明のラッチ錠のハンドルの台座ユニットは、厚さの異なる扉に対応することができ、扉の厚さによらず同等の固定強度で扉の両側の台座同士をワンタッチで固定することができる。
【図面の簡単な説明】
【００１１】
【図１】ラッチ錠と、本発明の実施形態に係る台座ユニットの位置関係を示す分解斜視図である。
【図２】本発明の実施形態に係る台座ユニットの分解斜視図である。
【図３】図２とは別の方向から見たラッチ錠のハンドルの台座の分解斜視図である。
【図４】（ａ）は、本発明の実施形態に係る台座ユニットの斜視図であり、一対の台座同士が離間している状態を示し、（ｂ）は、（ａ）とは別の方向から見た一対の台座の斜視図である。
【図５】（ａ）は、各台座同士が結合する途中の状態を示す斜視図であり、（ｂ）は、（ａ）のＡ−Ａ断面図である。
【図６】結合状態の台座の本体同士が接近している状態を示しており、（ａ）は斜視図であり、（ｂ）は（ａ）のＢ−Ｂ断面図である。
【図７】（ａ）は、保持部の正面図であり、（ｂ）は、（ａ）のＣ−Ｃ断面図であって、保持部に係合部が係合する直前の状態を示し、（ｃ）は、（ａ）のＣ−Ｃ断面図であって、保持部に係合部が係合する途中の状態を示し、（ｄ）は、（ａ）のＣ−Ｃ断面図であって、保持部に係合部が係合した状態を示す。
【図８】結合状態の台座の本体同士が離間している状態を示しており、（ａ）は斜視図であり、（ｂ）は（ａ）のＤ−Ｄ断面図である。
【発明を実施するための形態】
【００１２】
以下、図面を参照しながら説明する。
図１に示すように、扉１はラッチ錠２を備えている。ラッチ錠２には、挿通孔２ｂ、孔２ｃ、溝２ｄが設けられており、扉１におけるこれらと一致する位置にはそれぞれ図示しない孔が設けられている。ラッチ錠２の挿通孔２ｂにはハンドル軸１４が挿通されており、挿通孔２ｂを挿通したハンドル軸１４が、図示しない機構を介してラッチ２ａと連結されている。
【００１３】
また、ハンドル軸１４の両端には、ハンドル３ａ、３ｂが取り付けられている。すなわち、図１に示すように、ハンドル３ｂには、横断面が四角形のハンドル軸１４をちょうど嵌入させることができる嵌入穴２８が設けてあり、嵌入穴２８にハンドル軸１４を嵌入させることにより、ハンドル軸１４とハンドル３ｂが一体に回動可能に固定される。図１に示す例では、ハンドル軸１４の一端が、既にハンドル３ａの嵌入穴（図示せず）に嵌入しており、ハンドル軸１４がハンドル３ａと一体化されている。
【００１４】
そして、扉１の両側（一方側及び他方側）に設けられたハンドル３ａ又はハンドル３ｂを操作するとハンドル軸１４が回動し、ラッチ２ａが扉１内（ラッチ錠２の筐体内）に退入する。
【００１５】
このように、ラッチ２ａを作動させるハンドル３ａ、３ｂは、本発明の実施形態に係る台座ユニット４を介して扉１に固定されている。台座ユニット４は、一対の台座４ａ、４ｂで構成されている。以下、台座４ａ、４ｂの構成について説明する。
【００１６】
図２、図３に示すように、台座４ａは、本体５ａ、ガイド体６、圧縮バネ９（付勢部材）を有する。
本体５ａは、基部１５（図３）と、筒状部１６を有する。
基部１５は、平板状の部材であり、中央に筒状部１６が設けられている。筒状部１６の内部は貫通しており、貫通孔１６ａを構成している。貫通孔１６ａは、筒状部１６のみならず、基部１５も貫通している。
【００１７】
基部１５における筒状部１６の両側には挿通孔１１ａ、１１ｂ（挿通部）が設けられている。挿通孔１１ａ、１１ｂは、基部１５を貫通する孔である。
また、基部１５の周縁部には、起立壁部１７が設けられている。すなわち、起立壁部１７は、筒状部１６と挿通孔１１ａ、１１ｂの周囲を囲むように配置されている。
【００１８】
起立壁部１７には、部分的に基部１５からの起立高さが低い部位が形成されており、当該部位は、ガイド溝１８ａ、１８ｂを構成している。ガイド溝１８ａ、１８ｂは、筒状部１６の両側に形成されている。ガイド溝１８ａ、１８ｂは、それぞれ挿通孔１１ａ、１１ｂの直径と同程度か又は若干大きい溝幅を有する。また、ガイド溝１８ａ、１８ｂの溝の中心と、挿通孔１１ａ、１１ｂの中心は、同一直線上に配置されている。
【００１９】
図２に示すように、起立壁部１７には、係合凸部２０ａ〜２０ｄが設けられている。係合凸部２０ａ〜２０ｄは、筒状部１６の周囲に略均等に配置されており、本体５ａの内部方向に突出している。
【００２０】
図２、図３に示すように、台座４ａのガイド体６は、基部１０と、脚部１９ａ、１９ｂを有する。基部１０は、平板状の部材であって、中央に貫通孔１０ａが設けられている。基部１０には、図２で見て貫通孔１０ａの上部と下部の位置に係合凹部２１ａ〜２１ｄが設けられている。係合凹部２１ａ〜２１ｄは、基部１０の一部を切り欠いた部位であり、前述の本体５ａの係合凸部２０ａ〜２０と係合する部位である。また、脚部１９ａ、１９ｂは、基部１０における貫通孔１０ａを挟んだ両側（図２で見て左右方向の両側）に設けられている。
【００２１】
基部１０における脚部１９ａ、１９ｂ付近には、摺動部２６ａ、２６ｂが設けられている。摺動部２６ａ、２６ｂの間隔は、本体５ａのガイド溝１８ａ、１８ｂの間隔と一致している。摺動部２６ａ、２６ｂの幅（図２で見て上下方向の大きさ）は、ガイド溝１８ａ、１８ｂにちょうど嵌まる大きさである。
【００２２】
脚部１９ａ、１９ｂは、基端側（基部１０側）から先端側に至る長さを有している。具体的には、脚部１９ａ、１９ｂは、扉１を貫通して後述の台座４ｂと係合できる長さを有している。脚部１９ａ、１９ｂの基端側は基部１０に固定されており、脚部１９ａ、１９ｂの先端側は自由端であって係合部８ａ、８ｂを構成している。係合部８ａ、８ｂは、くびれ部１２ａ、１２ｂを介して脚部１９ａ、１９ｂの基端側の部位と連続している。すなわち、くびれ部１２ａ、１２ｂは、係合部８ａ、８ｂよりも基端側に隣接する位置に設けられている。くびれ部１２ａ、１２ｂは、脚部１９ａ、１９ｂの部分的に細い（外形が小さい）部位である。係合部８ａ、８ｂは、くびれ部１２ａ、１２ｂとの接続部分を除き、球状の外形（球面形状）を呈している。
【００２３】
脚部１９ａ、１９ｂは、同じ大きさ（長さ）及び形状を有し、互いに平行であって基部１０に対して起立している。すなわち基部１０は、脚部１９ａ、１９ｂに対して脚部１９ａ、１９ｂの長手方向と交差（直交）する方向に張り出す張出部を構成している。
【００２４】
脚部１９ａ、１９ｂは、それぞれ本体５ａの挿通孔１１ａ、１１ｂを同時に挿通可能である。すなわち、脚部１９ａ、１９ｂは、挿通孔１１ａ、１１ｂと同じ間隔で基部１０から起立している。
【００２５】
本体５ａとガイド体６の間には、圧縮バネ９（付勢手段）が設けられている。圧縮バネ９は、本体５ａの筒状部１６に外嵌しており、一端が基部１５に当接している。また、圧縮バネ９の他端は、ガイド体６の基部１０（張出部）に当接している。
【００２６】
このような部材を有する台座４ａは、次のように構成されている。すなわち、本体５ａの筒状部１６に圧縮バネ９が外嵌しており、圧縮バネ９の両端は、本体５ａの基部１５とガイド体６の基部１０に当接し、圧縮バネ９は圧縮されている。すなわち、本体５ａの基部１５とガイド体６の基部１０は、圧縮バネ９によって互いに離反する方向に付勢されている。
【００２７】
また、ガイド体６の脚部１９ａ、１９ｂが、本体５ａの挿通孔１１ａ、１１ｂに挿通されており、図４（ａ）に示すように、脚部１９ａ、１９ｂが本体５ａを貫通している。さらに、ガイド体６の摺動部２６ａ、２６ｂが、本体５ａのガイド溝１８ａ、１８ｂに嵌まって係合している。
これにより、本体５ａは、ガイド体６の脚部１９ａ、１９ｂに沿って移動することができる。換言すると、脚部１９ａ、１９ｂが挿通孔１１ａ、１１ｂに沿って移動することができ、本体５ａとガイド体６は、脚部１９ａ、１９ｂの長手方向に相対移動が可能である。
【００２８】
さらに、本体５ａの係合凸部２０ａ〜２０ｄと、ガイド体６の係合凹部２１ａ〜２１ｄが図４（ａ）に示すように係合している。すなわち、本体５ａとガイド体６は、圧縮バネ９の付勢力によって付勢されているが、係合凸部２０ａ〜２０ｄと係合凹部２１ａ〜２１ｄが係合することにより、本体５ａからガイド体６が脱落することが阻止されている。換言すると、係合凸部２０ａ〜２０ｄは、本体５ａからガイド体６が離反するのを阻止する抜け止め機能を有している。
【００２９】
一方、台座４ｂは、図２、図３に示すように、本体５ｂを有する。本体５ｂは、外形が小判形状の部材である。
本体５ｂの中央には貫通孔２２が設けられている。本体５ｂにおける貫通孔２２が設けられた部位の肉厚は、本体５ｂの周辺部分よりも厚い。
本体５ｂの長手方向の両端部分には、保持部７ａ、７ｂが設けられている。すなわち保持部７ａ、７ｂは、本体５ｂにおける貫通孔２２の両側に設けられている。
【００３０】
保持部７ａは、本体５ｂに対して起立した複数（本実施形態では４つ）の保持片１３ａを有している。各保持片１３ａは、略長方形形状を呈する薄板で形成されている。各保持片１３ａは、本体５ｂ上の同一の仮想円に沿って配されている。すなわち、保持部７ａは、各保持片１３ａが環状に配置されて本体５ｂに接続された構造を有している。また、各保持片１３ａは、本体５ｂとの接続部分（基部）から先端側へいくほど先細りした板片である。各保持片１３ａにおける本体５ｂとの接続部分（基部）は、配置された仮想円の円周に沿って湾曲している。
【００３１】
各保持片１３ａの先端側は、内側に湾曲している。すなわち、各保持片１３ａの先端が配された仮想円の直径は、各保持片１３ａの基部が配された本体５ｂ上の仮想円の直径よりも小さい。各保持片１３ａの先端は、受け入れ部２３ａを構成している。
【００３２】
本実施形態では、本体５ｂにおける各保持片１３ａで囲われた部位に孔２５ａが設けられている。すなわち、本体５ｂの孔２５ａの周囲（例えば縁）に、各保持片１３ａが配置されている。孔２５ａは、係合部８ａを収容する収容部２７ａとして機能する。
【００３３】
図７（ａ）に示すように、受け入れ部２３ａには、板状の保持片１３ａの厚み方向に傾斜する面（傾斜面、又はテーパ面）が設けられている。本実施形態においては、受け入れ部２３ａにはテーパ面２４が設けられている。テーパ面２４は、保持片１３ａの先端側へいくほど内周側から外周側へ傾斜する円錐状の面である。
【００３４】
保持部７ｂは、保持部７ａと同様の構造を有しており、重複する説明は省略する。保持部７ｂを構成する各部材及び各部位には、保持部７ａの各部材及び各部位における「ａ」の代わりに「ｂ」を付している。
【００３５】
以上説明した台座ユニット４の台座４ａ、４ｂは、次のように組み合わされている。
台座４ａでは、図２、図３に示すように、本体５ａとガイド体６の間に圧縮バネ９が配されている。圧縮バネ９は、本体５ａの筒状部１６に外嵌されており、圧縮バネ９の一端は本体５ａの基部１５に当接している。また、圧縮バネ９の他端は、ガイド体６の基部１０に当接している。ガイド体６の脚部１９ａ、１９ｂは、本体５ａの挿通孔１１ａ、１１ｂを挿通している。ガイド体６が本体５ａを挿通すると、図４（ａ）、図４（ｂ）に示すような状態になる。この状態では、本体５ａは、ガイド体６の脚部１９ａ、１９ｂに沿って移動が可能である。また、本体５ａとガイド体６は、圧縮バネ９の付勢力によって互いに離反する方向に付勢されている。
【００３６】
図４（ａ）に示すように、台座４ｂの保持部７ａ、７ｂは、本体５ａに挿通された脚部１９ａ、１９ｂの先端部分である係合部８ａ、８ｂと対向している。すなわち、係合部８ａ、８ｂの間隔と、保持部７ａ、７ｂの間隔は一致している。そして、台座４ａ、４ｂが互いに接近すると、台座４ａの係合部８ａ、８ｂが、台座４ｂの保持部７ａ、７ｂに係合し、両台座４ａ、４ｂは結合される。
【００３７】
ここで、両台座の結合の仕方について、図７を参照しながら説明する。
図７（ａ）、図７（ｂ）に示す保持部７ａ（７ｂ）の各保持片１３ａ（１３ｂ）の先端の受け入れ部２３ａ（２３ｂ）の配置された仮想円の直径は、球体状の係合部８ａ（８ｂ）の直径よりも小さい。また、係合部８ａ（８ｂ）の直径は、保持部７ａ（７ｂ）の各保持片１３ａ（１３ｂ）の基部側が配置された本体５ｂ上の仮想円の直径と同等、又は若干小さく、受け入れ部２３ａ（２３ｂ）が配された仮想円の直径よりも大きい。さらに、受け入れ部２３ａ（２３ｂ）には、テーパ面２４が設けられている。
【００３８】
係合部８ａ（８ｂ）が、保持部７ａ（７ｂ）に係合する際、まず、係合部８ａ（８ｂ）の球面形状の表面は、最初にテーパ面２４に当接する。このとき、係合部８ａ（８ｂ）の一部が、受け入れ部２３ａ（２３ｂ）が配置された仮想円よりも内側に入り込んでいる。そして、さらに係合部８ａ（８ｂ）が保持部７ａ（７ｂ）側に移動すると、係合部８ａ（８ｂ）の球面形状の表面が、テーパ面２４を外側（外周側）へ押圧し、受け入れ部２３ａ（２３ｂ）は押し拡げられる。すなわち、係合部８ａ（８ｂ）が、受け入れ部２３ａ（２３ｂ）を押し拡げながら保持部７ａ（７ｂ）の内部の収容部２７ａ（２７ｂ）に入り込む（図7（ｃ）、図７（ｄ））。
【００３９】
図５（ａ）、図５（ｂ）、図７（ｃ）に示すように、係合部８ａ（８ｂ）の最も幅広の部位（直径部分）が受け入れ部２３ａ（２３ｂ）を通過する際に、受け入れ部２３ａ（２３ｂ）が外側に押し広げられる。そのため、このときに受け入れ部２３ａ（２３ｂ）が配置された仮想円の直径が拡径（拡大）されて最も大きくなる。
【００４０】
係合部８ａ（８ｂ）の最も幅広の部位（直径部分）がテーパ面２４を押圧して受け入れ部２３ａ（２３ｂ）を通過すると、受け入れ部２３ａ（２３ｂ）はそれ以上拡がらない。すなわち、図７（ｄ）に示すように、係合部８ａ（８ｂ）の最も幅広の部位が受け入れ部２３ａ（２３ｂ）を通過して収容部２７ａ（２７ｂ）に収容されると、元の姿勢に復帰しようとする各保持片１３ａ（１３ｂ）の弾性によって、受け入れ部２３ａ（２３ｂ）が配置された仮想円は小さくなる。
【００４１】
そして、受け入れ部２３ａ（２３ｂ）が配置された仮想円は、係合部８ａ（８ｂ）の直径よりも小さくなり、係合部８ａ（８ｂ）は、図７（ｄ）に示すように、各保持片１３ａ（１３ｂ）によって抱き抱えられるように保持される。すなわち、係合部８ａ（８ｂ）が、保持部７ａ（７ｂ）によって保持される。換言すると、係合部８ａ（８ｂ）が保持部７ａ（７ｂ）と係合し、受け入れ部２３ａ（２３ｂ）は、くびれ部１２ａ（１２ｂ）に密着する。このとき、両台座４ａ、４ｂは、図６（ａ）、図６（ｂ）に示すように、結合されて一体化する。
【００４２】
すなわち、受け入れ部２３ａ（２３ｂ）の位置に、係合部８ａ（８ｂ）よりも小さい外形のくびれ部１２ａ（１２ｂ）が配置され、受け入れ部２３ａ（２３ｂ）は保持部７ａ（７ｂ）の弾性によって縮小し、くびれ部１２ａ（１２ｂ）に当接する。このときの受け入れ部２３ａ（２３ｂ）は係合部８ａ（８ｂ）よりも小さい。そのため、係合部８ａ（８ｂ）が保持部７ａ（７ｂ）から離反することが阻止される。
【００４３】
実際には、台座４ａ、４ｂは、扉１（図１）の表面（外面）と裏面（内面）に取り付けられている。扉１の厚みは一様ではなく、扉１の厚みによって台座４ａ、４ｂの間隔は相違する。本実施形態に係る台座４ａ、４ｂでは、台座４ａが本体５ａとガイド体６を有し、ガイド体６が台座４ｂとワンタッチで一体化されると共に、本体５ａがガイド体６の脚部１９ａ、１９ｂに沿って移動することができる。そのため、扉１の厚みに応じて、台座４ａ（本体５ａ）と台座４ｂ（本体５ｂ）の間隔を変更することができる。そして、扉１の表面（外面）に台座４ａを取り付け、裏面（内面）に台座４ｂを取り付けることができる。
【００４４】
次に、図６（ａ）、図６（ｂ）、図８（ａ）、図８（ｂ）を参照しながら、台座４ａ、４ｂ（本体５ａ、５ｂ）の間隔が変化する態様について説明する。
【００４５】
図６（ａ）、図６（ｂ）に示す状態では、圧縮バネ９が最大限に伸び、ガイド体６の基部１０に対して、本体５ａの基部１５が最大限に離間している。その結果、台座４ａ（本体５ａ）と台座４ｂ（本体５ｂ）の間隔は最も狭い状態を呈している。
【００４６】
一方、図８（ａ）、図８（ｂ）に示す状態では、圧縮バネ９が最大限に圧縮されており、ガイド体６の基部１０に対して、本体５ａの基部１５が最大限に接近している。その結果、台座４ａ（本体５ａ）と台座４ｂ（本体５ｂ）の間隔は最も広い状態を呈している。
【００４７】
このように、台座４ａ（本体５ａ）と台座４ｂ（本体５ｂ）の間隔を変更することにより、扉１の厚みに対応して、両台座４ａ、４ｂを扉１に取り付けることができる。
【００４８】
また、台座４ａ、４ｂは、保持部７ａ、７ｂと係合部８ａ、８ｂが互いに結合することにより、扉１側に常時付勢されている。すなわち、扉１から両台座４ａ、４ｂが離反するのを阻止する方向に、圧縮バネ９の付勢力が作用している。この状態で図示しない締結手段（例えばネジ止め）により、両台座４ａ、４ｂを扉１に固定すると、両台座４ａ、４ｂは、扉１に対して良好に取り付けられる。
【００４９】
すなわち、両台座４ａ、４ｂを扉１に取り付ける際に、作業者は両台座４ａ、４ｂを扉１の取り付け位置で保持する必要がない。そのため、圧縮バネ９（付勢手段）は、扉１に両台座４ａ、４ｂを取り付ける際の仮止め機能を発揮することができる。これにより作業者は、両台座４ａ、４ｂを扉１に良好に取り付けることができる。
【００５０】
本実施形態では、ガイド体６の脚部１９ａ、１９ｂが、本体５ａの挿通孔１１ａ、１１ｂを挿通する例を示した。ここで、挿通孔１１ａ、１１ｂの代わりに、挿通孔１１ａ、１１ｂの側壁が、軸方向に一部が欠落していてもよい。すなわち、挿通孔１１ａ、１１ｂを筒状部１６側が底となる溝又は窪み（凹部）に置き換え、これに脚部１９ａ、１９ｂを嵌めてもよい。
【００５１】
以上説明した実施形態では、台座ユニット４の一方側の台座４ａには係合部８ａ、８ｂ（脚部１９ａ、１９ｂ）を設け、他方側の台座４ｂには保持部７ａ、７ｂを設ける例を示した。本発明は、このような態様のみならず、一方側の台座に係合部８ａと保持部７ｂを設け、他方側の台座に係合部８ｂと保持部７ａを設けてもよい。すなわち、台座に係合部と保持部の両方を設けることもできる。このような同じ構造の台座を一対用意し、互いの係合部と保持部を係合させる。
【００５２】
具体的には、図２に示すガイド体６は一対の係合部８ａ、８ｂ（脚部１９ａ、１９ｂ）を有しているが、台座の変形例として、一つの係合部８ａ（脚部１９ａ）のみを有するガイド体と、このガイド体をスライド移動可能に装着する本体で一つの台座を構成する。この台座は、図２に示す圧縮バネ９と同様に作用する圧縮バネを備えるものである。
【００５３】
このような構造の台座を二つ用意し、自身の台座の係合部と保持部を、相手側の台座の保持部と係合部にそれぞれ係合させる。また、台座同士（本体同士）の間隔は、両台座の各本体に設けたガイド体を、それぞれスライドさせることにより変化させることができる。
【符号の説明】
【００５４】
１              扉
２              ラッチ錠
２ａ            ラッチ
３ａ、３ｂ      ハンドル
４              台座ユニット
４ａ            一方側の台座
４ｂ            他方側の台座
５ａ            一方側の台座の本体
５ｂ            他方側の台座の本体
６              ガイド体
７ａ、７ｂ      保持部
８ａ、８ｂ      ガイド体の先端側の係合部
９              圧縮バネ（付勢手段）
１０            基部（ガイド体の基端側の張出部）
１１ａ、１１ｂ  本体の挿通孔（挿通部）
１２ａ、１２ｂ  ガイド体のくびれ部
２３ａ、２３ｂ  保持部の受け入れ部
２７ａ、２７ｂ  保持部の収容部
【図１】
2020133335.tif 000003
【図２】
2020133335.tif 000004
【図３】
2020133335.tif 000005
【図４】
2020133335.tif 000006
【図５】
2020133335.tif 000007
【図６】
2020133335.tif 000008
【図７】
2020133335.tif 000009
【図８】
2020133335.tif 000010